(57)【要約】【課題】見栄え良く配置するとともに、確実に排水可能な浴室カウンターを提供する。【解決手段】カウンター本体２に物品を載置可能な載置面４１を備えた浴室カウンター１であって、載置面内に排水孔２４が形成され、カウンター本体の周縁部２５から排水孔に向かって載置面が下り傾斜しており、壁面１０３に取り付けられた状態で、カウンター本体の周縁部の頂部２５ａが水平に保持されている。【選択図】図１０
2020032113.tif 000002
【特許請求の範囲】
【請求項１】
カウンター本体に物品を載置可能な載置面を備えた浴室カウンターであって、
前記載置面内に排水孔が形成され、
前記カウンター本体の周縁部から前記排水孔に向かって前記載置面が下り傾斜しており、
壁面に取り付けられた状態で、前記カウンター本体の周縁部の頂部が水平に保持されていることを特徴とする浴室カウンター。
【請求項２】
前記カウンター本体が前記壁面に対して着脱可能に構成され、
浴室内に、前記排水孔と嵌合可能に構成されたブラケットを備えている請求項１に記載の浴室カウンター。
【請求項３】
前記ブラケットは前記壁面に設けられ、前記載置面が上方に向いた使用状態で前記カウンター本体を支持可能に構成されている請求項２に記載の浴室カウンター。
【発明の詳細な説明】
【技術分野】
【０００１】
本発明は、浴室カウンターに関する。
【背景技術】
【０００２】
従来、浴室内の壁面には、石鹸、洗面器等、浴室で使用する物品を載置する浴室カウンターが取り付けられている。例えば、シャワーや蛇口等の吐水装置の下方に浴室カウンターが設けられ、カウンター本体の載置面上に石鹸、シャンプー、洗面器等を載置して使用する場合がある。
【０００３】
このような浴室カウンターは載置面上に水がかかるため、載置面が手前側（使用者側）または奥側（壁面側）に傾斜するように配設し、載置面上の水を排水するようにしていた。
【先行技術文献】
【特許文献】
【０００４】
【特許文献１】特開２０１８-５１１１９号公報
【発明の概要】
【発明が解決しようとする課題】
【０００５】
しかしながら、壁面に対して傾斜させて浴室カウンターを取り付けると、近傍に設置される浴槽に対しても浴室カウンターが傾斜することになり、見栄えがよくないという問題があった。
【０００６】
そこで、本発明は、上記事情を鑑みてなされたものであり、見栄え良く配置するとともに、確実に排水可能な浴室カウンターを提供することを目的とする。
【課題を解決するための手段】
【０００７】
本発明に係る浴室カウンターは、カウンター本体に物品を載置可能な載置面を備えた浴室カウンターであって、前記載置面内に排水孔が形成され、前記カウンター本体の周縁部から前記排水孔に向かって前記載置面が下り傾斜しており、壁面に取り付けられた状態で、前記カウンター本体の周縁部の頂部が水平に保持されていることを特徴としている。
【０００８】
この発明によれば、カウンター本体の載置面内に排水孔を形成し、周縁部から排水孔に向かって下り傾斜しているため、載置面上の水を排水孔に向かって案内させることができ、確実に排水させることができる。また、浴室カウンターを壁面に取り付けた状態で、カウンター本体の周縁部の頂部が水平になるように構成したため、例えば、浴室カウンターの近傍に配置された浴槽の上面や浴槽とエプロンとの境界線に対して、カウンター本体の周縁部の頂部が平行になるため、見栄えを良くすることができる。
【０００９】
また、本発明に係る浴室カウンターは、前記カウンター本体が前記壁面に対して着脱可能に構成され、浴室内に、前記排水孔と嵌合可能に構成されたブラケットを備えていてもよい。
【００１０】
この発明によれば、カウンター本体が壁面に対して着脱可能に構成され、取り外したカウンター本体はブラケットに排水孔を利用して嵌合できるため、収納状態（カウンター未使用状態）においても、カウンター本体をブラケットで安定支持できる。また、カウンター本体をブラケットと嵌合させて保持するため、収納状態のカウンター本体が動くことを防止できる。その結果、カウンター本体あるいはブラケットの取付位置周辺に傷がつくことを防止できる。
また、カウンター本体がブラケットに対して着脱可能に嵌合されるため、ビス等の固定具が不要となる。その結果、カウンター本体をブラケットに対して容易に着脱可能とすることができる。
【００１１】
さらに、本発明に係る浴室カウンターは、前記ブラケットが前記壁面に設けられ、前記載置面が上方に向いた使用状態で前記カウンター本体を支持可能に構成されていてもよい。
【００１２】
この発明によれば、浴室カウンターを使用状態および収納状態で保持（支持嵌合）するブラケットを共通化することができる。その結果、浴室内に取り付けるブラケットの数を抑えられるため、部品点数低減及び施工工数の低減によりコストを抑えられる。
また、浴室カウンターが使用状態あるいは収納状態にあるときに、使用されないブラケットが外観上露出することがないため、浴室内の外観意匠性を高めることができる。
【発明の効果】
【００１３】
本発明は、見栄え良く配置するとともに、確実に排水可能な浴室カウンターを提供することができる。
【図面の簡単な説明】
【００１４】
【図１】本発明の一実施形態に係る浴室カウンターを備える浴室ユニットの浴室カウンターの使用状態を示す斜視図である。
【図２】本発明の一実施形態に係る浴室カウンターを備える浴室ユニットの浴室カウンターの収納状態を示す斜視図である。
【図３】本発明の一実施形態の浴室カウンターの収納状態の側面図である。
【図４】本発明の一実施形態の浴室カウンターをブラケットに取り付ける態様(収納状態)を示す斜視図である。
【図５】本発明の一実施形態のブラケットの側面図である。
【図６】本発明の一実施形態のカウンター本体の裏面側からの斜視図である。
【図７】本発明の一実施形態のカウンター本体の裏面側の平面図である。
【図８】本発明の一実施形態のカウンター本体をブラケットに取り付ける態様（使用状態）を示す斜視図である。
【図９】本発明の一実施形態の浴室カウンターの収納状態の縦断面図である。
【図１０】本発明の一実施形態の浴室カウンターの使用状態の縦断面図である。
【図１１】本発明の一実施形態のカウンター本体の表面側の平面図である。
【発明を実施するための形態】
【００１５】
以下、本発明の一実施形態に係る浴室カウンターについて説明する。図１及び図２は、本実施形態に係る浴室カウンター１を備える浴室ユニット１００の斜視図である。図１は、浴室カウンター１の使用状態を示す斜視図であり、図２は浴室カウンター１の収納状態を示す斜視図である。また、図３は、本実施形態の浴室カウンターの収納状態を示す側面図（一部断面図）である。
【００１６】
図１〜図３に示すように、本実施形態に係る浴室カウンター１は、カウンター本体２と、ブラケット３とを備え、カウンター本体２がブラケット３に着脱可能に保持される。換言すると、浴室カウンター１は、浴室空間ＢＲの第一壁部１０３に対して着脱可能に構成されたカウンター本体２を備えている。以下では、浴室カウンター１を用いた浴室ユニット１００を例に説明する。なお、浴室カウンター１は浴室ユニット１００に限らず、在来工法により施工された浴室においても適用可能である。
【００１７】
浴室ユニット１００は、建物の躯体内にフレームとパネルとを用いて、床、壁、天井及び浴槽等を組み立てて設置されている。浴室ユニット１００内に形成される浴室空間ＢＲ（浴室）には、外枠形状が平面視で略長方形の浴槽１０１と、平面視略矩形であり、浴槽１０１と壁との間の床部を構成する洗い場（床面）１０２と、が設けられている。浴槽１０１の洗い場１０２との境界部分となる端部には、浴槽１０１の側面を覆うエプロン１０５が設けられ、洗い場１０２と浴槽１０１とは、エプロン１０５を介して接続されている。浴室空間ＢＲは、四方に立設された複数の壁部により形成されている。
【００１８】
本実施形態では、浴室ユニット１００の複数の壁部のうち、シャワー器具１０９、水栓１１０、シャワーホルダ１０７が設けられた壁を第一壁部１０３と称する。また、浴槽１０１のエプロン１０５の表面は、第一壁部１０３と直交して配置されている。
【００１９】
以下の説明において、第一壁部１０３の壁面に沿った水平方向を幅方向、幅方向に直交する水平方向を奥行方向とする。奥行方向のうち第一壁部１０３に近接する方向を奥行方向の奥側とし、第一壁部１０３と離間する方向を奥行方向の手前側とする。第一壁部１０３の幅方向のうち、使用者が第一壁部１０３に向かって立つ場合の左右をそれぞれ左側、右側と称する。本実施形態では、幅方向の左側に浴槽１０１が配置され、右側に洗い場１０２が配置されている。
【００２０】
図１及び図２に示すように、カウンター本体２は、第一壁部１０３に取り付けられた後述するブラケット３に対して着脱可能に構成されている。本実施形態では、第一壁部１０３の水栓１１０の下方、かつ、洗い場１０２の床面から上方に離間した位置に、カウンター本体２（浴室カウンター１）が取り付けられている。
【００２１】
本実施形態に係る浴室カウンター１は、第一壁部１０３に対して着脱可能なカウンター本体２をブラケット３から取り外した際に、カウンター本体２を収納状態で保持する構造を備えている。なお、図１に示すように、天板（載置面）４１を上方に向けて配置してブラケット３に支持された状態をカウンター本体２（浴室カウンター１）の使用状態と称する。使用状態では、天板４１は上方（天井側）を向いて第一壁部１０３からに水平方向に突出して配置される。一方、図２に示すように、カウンター本体２の天板４１が水平方向に向いて配置されて保持される状態を収納状態と称する。
【００２２】
カウンター本体２の構成について、使用状態の配置に基づき説明する。図８に示すように、カウンター本体２は、物品を載置可能な天板４１を備える略平板状の部材である。カウンター本体２は、使用状態において上側に配置される天板部材４と、下側に配置される底板部材５と、を有し、天板部材４と底板部材５とが接合されて構成されている。天板部材４および底板部材５は、それぞれ樹脂材料により形成されている。
【００２３】
図３〜図５に示すように、ブラケット３は、第一壁部１０３に取り付けられている。ブラケット３は、金属製のネジ（不図示）などにより第一壁部１０３に固定され、樹脂部材によりネジが覆われている。ブラケット３は、第一壁部１０３側に配されたベース部材３１と、カウンター本体２が嵌合されるアーム部材３２と、を備える。ベース部材３１は、幅方向に長尺な部材であり、裏面３１１が第一壁部１０３に当接して固定されている。
【００２４】
ベース部材３１の表面側（手前側）にアーム部材３２が配設されている。アーム部材３２は、ベース部材３１の表面を覆うように構成された表面部３２０を備えている。表面部３２０は、上部が上下方向に延びる（水平方向を向く）平面形状であり、下部は下端側に向かって次第にわずかに奥側に傾斜する傾斜面が形成されている。表面部３２０の幅方向両端部は、ベース部材３１より幅方向外側に僅かに突出する突出縁３２０ａ，３２０ａを有している。
【００２５】
また、アーム部材３２は、平面視略Ｕ字形状を有し、表面部３２０から手前側に向かって略水平方向に突出した一対の基部３２１，３２１と、該一対の基部３２１，３２１間を架設するバー３２２と、を有している。表面部３２０の幅方向に離間した位置に、一対の基部３２１，３２１が設けられ、それぞれ表面部３２０から手前側に突出している。各基部３２１，３２１の手前側の端部間にバー３２２が架設されている。つまり、一対の基部３２１，３２１およびバー３２２が、表面部３２０から突起状に突出形成されたアーム部（突起）３２５を構成している。バー３２２は、表面部３２０と略平行に延設されている。バー３２２の手前側の端面は長楕円形状を有している。バー３２２の表面には、化粧パネル３２３が取り付けられている（図９参照）。一対の基部３２１，３２１の幅方向外側の各端部には、幅方向に突出する突起３４，３４がそれぞれに形成されている。
【００２６】
アーム部材３２における、表面部３２０とアーム部３２５とで囲まれた領域に、係合孔３３が形成されている。係合孔３３は上下方向に貫通している。
【００２７】
係合孔３３の奥側で表面部３２０の上部には、ベース部材３１の上面３１３よりも上方に突出する突出壁３２４が形成されている。突出壁３２４は、アーム部材３２の表面部３２０に沿って上方に延出するように突出している。突出壁３２４の左右上端部は幅方向外側に向かって下側になだらかに傾斜している。
【００２８】
なお、図９に示すように、ブラケット３の第一壁部１０３からの突出長Ｌ２は、水栓１１０の第一壁部１０３からの突出長Ｌ３よりも短くなるように、ブラケット３の大きさが設定されている。
【００２９】
カウンター本体２の構造について、さらに詳細に説明する。カウンター本体２は、ブラケット３を介して浴室空間ＢＲの第一壁部１０３に対して着脱可能に構成されている。図６は、カウンター本体２の底板部材５側から見た斜視図である。図７は、カウンター本体２の裏面側の（底板部材５側から見た）平面図である。図１０は、カウンター本体２（浴室カウンター１）の使用状態を示す縦断面図である。図１１は、カウンター本体２の表面側の（天板部材４側から見た）平面図である。
【００３０】
図６、図７、図１０、図１１に示すように、カウンター本体２は、厚さ方向から見た平面視における形状が略長方形であり、４つの角部は円弧形状を有する。天板部材４と底板部材５とは周縁部同士が接合されている。天板部材４の周縁部には、厚さ方向（上下方向）に厚みを有する外周側壁２３が形成されている。外周側壁２３は、略平面状の壁部である。
【００３１】
カウンター本体２は、使用状態における手前側と奥側に２つの長辺端部２１，２２を備え、該２つの長辺端部２１，２２のうちの一方の長辺端部２２側でブラケット３に係合され、第一壁部１０３から手前側に向かって突出して配置されている。２つの長辺端部２１，２２のうち、使用状態において手前側に位置する長辺端部を第一長辺端部２１と称し、奥側に位置する長辺端部を第二長辺端部２２と称する。
【００３２】
カウンター本体２には、厚さ方向に貫通する排水孔２４が形成されている。排水孔２４は、第一長辺端部２１の近傍であって、第一長辺端部２１よりも奥側に形成されている。排水孔２４は、第一長辺端部２１と略平行に延びる長孔である。排水孔２４の幅方向の両端部は、円弧状に形成されている。
【００３３】
図１０に示すように、天板部材４及び底板部材５に、排水孔２４の形状に倣う貫通孔４４０，５４０がそれぞれ形成されている。各貫通孔４４０，５４０の周縁には、カウンター本体２の厚さ方向に立設されたリブ４４１，５４１が形成されている。天板部材４と底板部材５とが接合されると、リブ４４１，５４１同士が嵌合し、排水孔２４が形成される。排水孔２４が形成されることにより、天板部材４と底板部材５との間に形成されるカウンター本体２の内部空間への水の浸入が防止される構造になっている。
【００３４】
図１０、図１１に示すように、天板部材４の天板４１は略扁平に形成されている。天板４１は、カウンター本体２の周縁部２５から排水孔２４に向かって僅かに下降傾斜している（図１１の矢印方向に下降傾斜）。すなわち、天板４１の上面（載置面）は、排水孔２４の縁部の高さが最も低く、カウンター本体２の周縁部２５から排水孔２４に向かって緩やかに下降傾斜して形成されている。ただし、天板４１の傾斜角度は、天板４１上の水が排水孔２４に向かって流れ、物品を載置した際に、物品が自重で傾斜に沿って移動しない程度の僅かな傾斜に設定されている。
【００３５】
さらに、本実施形態の天板４１の使用状態における周縁部２５の頂部（上端）２５ａが、水平に保持されるように構成されている。つまり、天板４１の周縁部２５の頂部２５ａが同一平面上に位置するように構成されるとともに、使用状態において、第一壁部１０３に対して略垂直方向（水平方向）に周縁部２５の頂部２５ａが位置するように構成されている。このように構成することで、例えば、浴室カウンター１の近傍に配置された浴槽１０１の上面１０１ａや浴槽１０１とエプロン１０５との境界線１０６と、カウンター本体２の周縁部２５の頂部２５ａと、が平行になるため、見栄えを良くすることができる。
【００３６】
図８、図１０に示すように、底板５１は、幅方向（長辺方向）の中央部において、第一長辺端部２１から第二長辺端部２２に向かって下方に傾斜した傾斜面を備えている。
【００３７】
底板５１の第二長辺端部２２側の領域に被係合部５２が形成されている。被係合部５２は、第二長辺端部２２の幅方向略中央部、かつ第二長辺端部２２側の外周側壁２３より下方に形成されている。底板５１の被係合部５２は、内側凹部５５と、外側凹部５６と、突条部５３と、挿入穴５４と、を有している。
【００３８】
内側凹部５５は、底板５１の幅方向略中央部に略矩形に形成された凹部である。内側凹部５５の幅方向の長さは、排水孔２４の幅方向の長さと略等しい。また、内側凹部５５の左右の側壁５５１，５５１間の距離は、ブラケット３のバー３２２の幅方向の寸法よりも僅かに大きい。図６に示すように、各側壁５５１，５５１には、係止凸部５７，５７が形成されている。係止凸部５７，５７は、それぞれ幅方向の中央側に向かって突出し、かつ奥行方向に延びる長尺な突起である。
【００３９】
内側凹部５５の第二長辺端部２２側の端部に、突条部５３が形成されている。突条部５３は、略直方体形状であり、内側凹部５５の底部５５３から下方に突出して形成されている。突条部５３は、ブラケット３の係合孔３３の平面視内周形状と略同一の平面形状を有する。また、突条部５３の高さは、底板５１の表面形状に倣う（稜線を揃えた）高さになるように設定されている。
【００４０】
外側凹部５６は、内側凹部５５と第二長辺端部２２との間に形成された凹部である。外側凹部５６は、内側凹部５５と連続して形成され、幅方向に長尺な略矩形の凹部である。外側凹部５６は、内側凹部５５よりも幅方向の開口寸法が長い。外側凹部５６の幅方向の寸法は、ブラケット３の表面部３２０の幅方向の寸法よりも僅かに長い。
【００４１】
挿入穴５４は、外側凹部５６の底部５６１の幅方向中央部に、さらに窪むように形成されている。挿入穴５４は、突条部５３の奥側に隣接する位置に形成されている。挿入穴５４は、ブラケット３の突出壁３２４の形状と略同一の形状を有する。
【００４２】
外側凹部５６の幅方向の左右の側壁５６２，５６２には、幅方向外側に窪むスリット５６３，５６３がそれぞれ形成されている。スリット５６３は、側壁５６２の高さ方向略全長に亘って形成されている。また、スリット５６３は、側壁５６２の手前側端部に形成されている。
【００４３】
次に、カウンター本体２とブラケット３との係合構造について説明する。カウンター本体２は、使用状態と収納状態でそれぞれブラケット３に係合可能に構成されている。まず、使用状態におけるカウンター本体２とブラケット３との係合構造について説明する。
【００４４】
図８は、使用状態におけるカウンター本体２をブラケット３へ取り付ける態様を示す斜視図である。図８に示すように、カウンター本体２の天板４１を上方に向けて、底板５１の被係合部５２をブラケット３に上方から近付け、突条部５３を係合孔３３に挿入し、挿入穴５４に突出壁３２４を挿入する。
【００４５】
突条部５３は、アーム部材３２の係合孔３３の平面視形状と相似し、内側凹部５５の側壁５５１，５５１間の距離はブラケット３の一対の基部３２１，３２１間（アーム部３２５）の幅方向の寸法よりも僅かに大きいため、図１０に示すように、アーム部材３２と被係合部５２とが係合する。また、内側凹部５５の手前側壁部５５２と突条部５３とにより、アーム部材３２のバー３２２が挟持される。さらに、突条部５３の奥側壁５３１がブラケット３の表面部３２０に当接する。この結果、カウンター本体２の上方からの力に対して十分な耐荷重を備えて、カウンター本体２を使用状態で支持できる。
【００４６】
アーム部材３２と被係合部５２との係合時、内側凹部５５の各側壁５５１，５５１に形成された係止凸部５７，５７がアーム部材３２の基部３２１，３２１の突起３４,３４を乗り越え、係止凸部５７，５７が突起３４,３４に係止される。さらに、外側凹部５６のスリット５６３，５６３に表面部３２０の突出縁３２０ａ，３２０ａが挿入される。結果として、カウンター本体２は、ブラケット３に対して確実に位置決めした状態で係合される。
【００４７】
使用状態におけるカウンター本体２の支持構造が、上述の構成を備える結果、カウンター本体２はブラケット３の上方から近付けて、被係合部５２とアーム部材３２とを係合させる簡易な構成で、カウンター本体２をブラケット３に着脱可能に係合（支持）させることができる。つまり、ネジ等の固定部材を用いることなく、カウンター本体２をブラケット３に係合できる。また、カウンター本体２の使用中に上方向へ不慮の力が加わった場合でも、カウンター本体２がブラケット３から外れ難い。
【００４８】
一方、カウンター本体２をブラケット３から取り外す場合は、使用者がカウンター本体２を把持しながら上方に持ち上げると、係止凸部５７，５７が突起３４,３４の上方へ乗り越えて被係合部５２とブラケット３との係合が解除可能となり、カウンター本体２をブラケット３から取り外すことができる。
【００４９】
一般に、浴室カウンターは、天板４１上に洗面器（不図示）などを載置して、水栓１１０やシャワー器具１０９からの吐水を溜める場合等の使用を想定している。本実施形態においても、水栓１１０の下方にカウンター本体２が使用状態で取り付けられると、第一壁部１０３からカウンター本体２の第一長辺端部２１までの水平方向の寸法Ｌ１（図１０参照）が水栓１１０の第一壁部１０３からの水平方向の突出寸法Ｌ３（図９参照）よりも長くなるように、カウンター本体２の奥行方向の寸法が設定されている。
【００５０】
次に、収納状態におけるカウンター本体２とブラケット３との係合構造について説明する。図４は、カウンター本体２をブラケット３に取り付ける態様(収納状態)を示す斜視図である。図９は、カウンター本体２の収納状態を示す縦断面図である。
【００５１】
図４、図９に示すように、収納状態では、天板４１の向きを使用状態と異なる向きに配置してブラケット３に保持する。使用状態のカウンター本体２をブラケット３から取り外した後、天板４１を水平方向に向け、底板５１側をブラケット３に対向させ、該ブラケット３に近付ける。このとき、第一長辺端部２１が上側となるように配置し、排水孔２４をブラケット３のアーム部３２５に近付ける。排水孔２４の平面視開口形状は、アーム部材３２のバー３２２の正面視形状と略同一に形成され、排水孔２４の開口寸法がバー３２２の正面視形状よりもわずかに大きい。したがって、底板５１側をアーム部材３２に対して奥行方向に近付けると、排水孔２４内にアーム部材３２のアーム部３２５が挿入可能となり、アーム部３２５が排水孔２４に係止される。この結果、カウンター本体２は、アーム部材３２に係止された状態で支持され、カウンター本体２がブラケット３に収納状態で保持される。なお、図９に示すように、底板５１の第二長辺端部２２側の端部領域５９が第一壁部１０３に当接するように構成すると、カウンター本体２が上下方向の２か所で第一壁部１０３に支持されるため、カウンター本体２が収納状態で安定的に保持される。
【００５２】
図９に示すように、収納状態では、カウンター本体２の天板４１とブラケット３のアーム部３２５の表面（化粧パネル３２３の表面）とが上下方向に略面一な状態で配置される。この結果、収納状態において、洗い場１０２におけるカウンター本体２の収納スペースを抑えることができ、洗い場１０２を広く使用できる。
【００５３】
また、収納状態では、カウンター本体２の第一壁部１０３から天板４１までの水平方向の寸法Ｌ２（図９参照）は、水栓１１０の第一壁部１０３からの水平方向の突出寸法Ｌ３よりも短くなるように設定されている。その結果、着脱可能なカウンター本体２を使用しない場合に、使用者の動線を妨げない位置でカウンター本体２を収納保持できる。
【００５４】
図２、図３及び図９に示すように、収納状態では、カウンター本体２の排水孔２４がブラケット３に係合された状態で、カウンター本体２の外周側壁２３の全周（天板４１の周縁全周）が第一壁部１０３及び床面１０２から離間した位置でブラケット３に保持されている。その結果、収納状態のカウンター本体２の全周（外周側壁２３）を容易に清掃できる。さらに、収納状態では、カウンター本体２を浴室ＢＲの床面１０２から上方に離間した位置で保持できる。その結果、清掃時に、作業者がカウンター本体２を持ちながら作業する必要がなく、容易に清掃できる。
【００５５】
本実施形態に係る浴室カウンター１によれば、カウンター本体２の天板（載置面）４１に排水孔２４を形成し、周縁部２５から排水孔２４に向かって下り傾斜しているため、載置面上の水を排水孔２４に向かって案内させることができ、確実に排水させることができる。また、浴室カウンター１（カウンター本体２）を第一壁部１０３に取り付けた状態で、カウンター本体２の周縁部２５の頂部２５ａが水平になるように構成したため、例えば、浴室カウンター１の近傍に配置された浴槽１０１の上面１０１ａや浴槽１０１とエプロン１０５との境界線１０６に対して、カウンター本体２の周縁部２５の頂部２５ａのラインが平行になるため、見栄えを良くすることができる。
【００５６】
また、本実施形態に係る浴室カウンター１によれば、カウンター本体２がブラケット３に対して着脱可能に構成され、取り外したカウンター本体２は、ブラケット３に形成されたアーム部（突起）３２５に排水孔２４を嵌合できるため、収納状態（カウンター未使用状態）においても、カウンター本体２をブラケット３で安定支持できる。また、カウンター本体２をブラケット３と嵌合させて保持するため、収納状態のカウンター本体２が動くことを防止できる。その結果、カウンター本体２あるいはブラケット３の取付位置周辺に傷がつくことを防止できる。
【００５７】
また、カウンター本体２がブラケット３に対して着脱可能に嵌合されるため、ビス等の固定具が不要となる。その結果、カウンター本体２をブラケット３に対して容易に着脱可能とすることができる。
【００５８】
さらに、ブラケット３にカウンター本体２の排水孔２４と嵌合するアーム部（突起）３２５を形成したため、浴室カウンター１を使用状態および収納状態で保持するブラケット３を共通化することができる。その結果、浴室ＢＲ内に取り付けるブラケット３の数を抑えられるため、部品点数低減及び施工工数の低減によりコストを抑えられる。
【００５９】
そして、浴室カウンター１が使用状態あるいは収納状態にあるときに、使用されないブラケット３が外観上露出することがないため、浴室ＢＲ内の外観意匠性を高めることができる。
【００６０】
以上、本発明の実施形態について図面を参照して詳述したが、具体的な構成はこの実施形態に限られるものではなく、本発明の要旨を逸脱しない範囲の設計変更等も含まれる。
また、上述の実施形態及び各変形例において示した構成要素は適宜に組み合わせて構成することが可能である。
【００６１】
例えば、上述の実施形態のブラケット３に加えて、カウンター本体２の収納用のブラケットを別途設けてもよい。また、カウンター本体２を水栓１１０等の下方以外の場所に保持してもよい。
【００６２】
また、本実施形態では、カウンター本体２は着脱可能である場合の説明を行ったが、壁部に固定する浴室カウンターであってもよい。
また、本実施形態では、カウンター本体２に排水孔２４が一つ形成された場合の説明をしたが、排水孔の個数や形状について特に限定する必要はない。
【符号の説明】
【００６３】
１  浴室カウンター
２  カウンター本体
３  ブラケット
２４  排水孔
２５  周縁部
２５ａ  頂部
４１  天板（載置面）
１０３  第一壁部（壁面）
３２５  アーム部（突起）
【図１】
2020032113.tif 000003
【図２】
2020032113.tif 000004
【図３】
2020032113.tif 000005
【図４】
2020032113.tif 000006
【図５】
2020032113.tif 000007
【図６】
2020032113.tif 000008
【図７】
2020032113.tif 000009
【図８】
2020032113.tif 000010
【図９】
2020032113.tif 000011
【図１０】
2020032113.tif 000012
【図１１】
2020032113.tif 000013